(57)【特許請求の範囲】
【請求項１】
吊り下げるためのフックを上部に有し、ズボン類を掛けるハンガー横軸を下部に有する本体を具備したズボンハンガーであって、
本体は一端部の開放したハンガー横軸と、上記ハンガー横軸にズボン類を固定するために本体に移動可能に設けられたズボンの押さえ部材と、前記ハンガー横軸及びズボンの押さえ部材において、ズボン類の上下方向の縫い目と抵触する部分に縫い目を回避する凹部と、上記押さえ部材をハンガー横軸に固定する方向に付勢する弾性部材と、
押さえ部材による固定を解除するために本体の上下方向に移動可能に設けられた解除部材と、一方で当該解除部材と連絡し他方において前記押さえ部材と連絡しているリンク機構を具備し、上記リンク機構は、上記解除部材に加えられる操作力で当該解除部材における抜け止めによって押さえ部材を駆動するワンタッチ開閉式ズボンハンガー。
【請求項２】
リンク機構は、少なくとも１対のリンクアームを交差状に本体に軸支したリンクアームを具備し、リンクアームは交差点から解除部材側で短く、交差点から押さえ部材側で長く形成されたアーム構造を有するとともに、長い方の押さえ部材側アームに係合軸を設け、その係合軸と係合する横方向の長溝を押さえ部材に設けた構造を有している請求項１記載のワンタッチ開閉式ズボンハンガー。
【請求項３】
ハンガー横軸は、押さえ部材により押さえ付けられる部分に設けた滑り止め部材を有している請求項１記載のワンタッチ開閉式ズボンハンガー。
【請求項４】
本体とこの本体に移動可能に設けられた押さえ部材とは凹部と凸部より成る嵌合構造によって上下方向へ移動可能に設けられており、上記上下方向の延長線上に解除部材とその上下移動案内を兼ねたストッパーが配置されている請求項１記載のワンタッチ開閉式ズボンハンガー。
【発明の詳細な説明】
【技術分野】
【０００１】
本発明は、上部に吊り下げるためのフックを有し、下部にズボンを掛けるハンガー横軸を有する本体を具備したワンタッチ開閉式ズボンハンガーに関するものである。
【背景技術】
【０００２】
リネンサプライ業と呼ばれる分野では、様々な衣類や布類を回収して洗濯し、配送する作業が繰り返される。多くの作業が機械化されているが、作業ラインに衣類を投入する工程では幾つかの手作業が必要とされている。また、取り扱う衣類の内、ズボン型のものは上着型のものよりも少数であり、かつ形状も単純であるため取り扱い上の困難性もそれほど大きいものとは考えられていなかった。取扱量や、仕上がり品質の均一性などを考慮すると、上着と同じように自動的に処理することが望ましい。
【０００３】
しかし衣類を投入するために使用される装置は、上着型構造を有するものには適するもののズボン類の整形、投入には適当ではない。例えば、特開平１０−６７４１３号に見られる搬送用ハンガーの発明は、浴衣のような上着型構造を有する衣類を対象としている。一方、米国特許第５９６４３５４号はパンツ型の衣類を掛けて搬送することも対象とするが、使用しているハンガーは針金を曲げたような形状に図示され、またリネンサプライ業用でもなく、ズボン類を扱うために特に工夫されたものではない。
【０００４】
このため本発明者は、先にズボン専用のハンガーを開発し、その成果の一部について特許出願をした（特願２００７-０３０８３５）。同発明はズボンの裾を挟み込むもので、裾の開口部分の両側をつまむようにして取り付ける構造であり、そのため取り付け作業において、作業者は、ズボンの裾を両手で持ち、片方ずつ固定する方法が取られることになる。従って、両手を使いながらズボンを取り付ける必要があり、このことは、その間他の作業を全くすることができなくなるという不利な状況を生じる。リネンサプライ業では洗濯済みの衣類、特にこの場合にはズボン類を次から次へと能率良くハンガーに取り付けることができなければならないが、そのような要求に応じられるズボンハンガーの類は提案されていない。
【０００５】
【特許文献１】特開平１０−６７４１３号
【特許文献２】米国特許第５９６４３５４号
【発明の開示】
【発明が解決しようとする課題】
【０００６】
本発明は前記の点に着目してなされたもので、その課題は、ズボン類の取り付け及び取り外し作業をワンタッチで行なえるワンタッチ開閉式ズボンハンガーを提供することである。また本発明の他の課題は、作業者が片手でもズボン類を吊り下げる作業を行なうことができるワンタッチ開閉式ズボンハンガーを提供することである。また本発明の他の課題は、一旦取り付けたズボン類が脱落しにくく、作業性を著しく向上可能なワンタッチ開閉式ズボンハンガーを提供することである。
【課題を解決するための手段】
【０００７】
前記の課題を解決するため、本発明は、吊り下げるためのフックを上部に有し、ズボン類を掛けるハンガー横軸を下部に有する本体を具備したズボンハンガーについて、
本体は一端部の開放したハンガー横軸を有するとともに、上記ハンガー横軸にズボン類を固定するために本体に移動可能に設けられた押さえ部材及び上記押さえ部材をハンガー横軸に固定する方向に付勢する弾性部材を具備し、さらに、押さえ部材による固定を解除するために本体に移動可能に設けられた解除部材及び上記解除部材による固定を解除する方向へ押さえ部材を駆動するリンク機構を具備して構成するという手段を講じたものである（請求項１記載の発明）。
【０００８】
本発明に係るズボンハンガーは本体を有し、本体は吊り下げるためのフックを上部に有しており、搬送はこのフックを利用して行なうことができる。また、当該ズボンハンガーの本体は、ズボンを掛けるハンガー横軸を下部に有しているので、ズボンをハンガー横軸方向から掛けることができる。即ち、ハンガー横軸は端部の開放した構造を有しており、例えば二つ折りにしたズボン類をその折り曲げ部にてハンガー横軸が配置されるようにして取り付けることができる。
【０００９】
また本体は、上記ハンガー横軸にズボン類を固定するために本体に対して移動可能に設けられた押さえ部材及び上記押さえ部材をハンガー横軸に固定する方向に付勢する弾性部材を具備している。押さえ部材はハンガー横軸に対して接しまた離れるように、本体に移動可能に設けられており、離れているときにハンガー横軸にズボン類の取り付け及び取り外しが行なわれる。しかし、通常はハンガー横軸に接する方向へ弾性部材によって付勢されているものとする。従って、外部からの操作は弾性部材の付勢力に抗して押さえ部材をハンガー横軸から離す方向になされることになる。
【００１０】
本発明において、本体はさらに、押さえ部材による固定を解除するために本体に移動可能に設けられた解除部材及び上記解除部材による固定を解除する方向へ押さえ部材を駆動するリンク機構を具備している。上記解除部材に加えられる操作力でリンク機構を介して押さえ部材を駆動し、押さえ部材をハンガー横軸から離すものである。リンク機構は、従ってその一方において解除部材と連絡し、また他方において押さえ部材に連絡している。
【００１１】
上記リンク機構は、少なくとも１対のリンクアームを交差状に配置して本体に軸支したリンクアームを具備し、リンクアームは交差支軸から解除部材側で短く、交差支軸から押さえ部材側で長く形成されたアーム構造を有するとともに、長い方の押さえ部材側アームに係合軸を設け、その係合軸と係合する横方向の長溝を押さえ部材に設けた構造を有していることが望まれる（請求項２記載の発明）。これ以外のリンク機構であっても良いが、請求項２記載のように構成すれば解除部材の操作方向の延長上にリンク機構、押さえ部材及びハンガー横軸を配置することができる。
【００１２】
上記ハンガー横軸は、押さえ部材により押さえ付けられる部分に設けた滑り止め部材を有するものとし、かつ、ズボン類の上下方向の縫い目と抵触する部分に縫い目を回避する凹部を有するものとすることが望ましい（請求項３記載の発明）。ズボン類を掛けるということだけを考える場合には、ズボン類の重量バランスの取れる位置を考慮して掛ければ良いが、ズボンを掛けて移動するなどの動きを伴う場合には滑り止めを使用することが望ましい。この場合、押さえ部材の方にはハンガー横軸の横断面形状と係合可能な横断面形状の凹溝を設けることができる。
【００１３】
また、ズボン類の上下方向の縫い目がズボン幅の中央部に来るズボンにおいては、縫い目と抵触する部分に縫い目を回避する凹部を有することが望ましく、縫い目の膨らみによってズボン類の形の崩れるのを防ぐことができる。また縫い目の膨らみを回避してズボンをその全幅でほぼ均等に押さえることができるので、掛け吊るしたズボンに外力が働いたときに、滑り止め効果をより有効なものとして、ズボン類が動いたり型崩れしたりするのを防止することができる。
【００１４】
上記の本体とこの本体に移動可能に設けられた押さえ部材とは凹部と凸部より成る嵌合構造によって上下方向へ移動可能に設けられており、また、上記上下方向の延長線上に解除部材とその上下移動案内を兼ねたストッパーが配置されていることも望ましい構成である（請求項４記載の発明）。この構成により、例えば解除部材を押し下げて押さえ部材を上方へ駆動し、ズボン類を挟み込んで掛ける隙間をハンガー横軸との間に形成することができる。
【発明の効果】
【００１５】
本発明は以上のように構成されかつ作用するものであるから、作業者は、端部の開放した構造のハンガー横軸に対して接・離可能に設けられた押さえ部材の離れたときに片手でズボン類をハンガー横軸に吊り下げる作業を行なうことができるとともに、その作業を次のズボン類を手にしながら行なうことができるという効果を奏する。またこれにより、ズボン類の取り付け及び取り外し作業をワンタッチ操作で行なうことができるワンタッチ開閉式ズボンハンガーを提供することできる。また本発明によれば、一旦取り付けたズボン類が脱落しにくく、作業性を著しく向上可能することができる。
【発明を実施するための最良の形態】
【００１６】
以下図示の実施形態を参照して本発明に係るワンタッチ開閉式ズボンハンガーについてより詳細に説明する。図１は本発明に係るワンタッチ開閉式ズボンハンガー１０を示しており、このズボンハンガー１０は前後２部材１２、１３から成る本体１１を具備し（図１Ｂ参照）、この本体１１は、吊り下げるためのフック１４を上部に有し、ズボン類を掛けるハンガー横軸１５を下部に有している。１６はフック取り付け突部、１７は、端部１８の開放した横軸取り付け突部を示しており、夫々前後２部材１２、１３の組み合わせ時にフック１４、ハンガー横軸１５を取り付ける部分である。
【００１７】
本体１１は、一端部１８の開放したハンガー横軸１５にズボン類を固定するために、移動可能に設けられた押さえ部材２０及びこの押さえ部材２０をハンガー横軸１５に固定する方向に付勢する弾性部材２１、２２を具備している。押さえ部材２０は、本体中央部に形成された凹部１９ａと係合する凸部１９ｂより成る嵌合構造によって上下方向へ摺動可能に設けられている。押さえ部材２０は、ハンガー横軸に１５対して接しまた離れるように、本体に移動可能に設けられており、離れているときにはズボン類の取り付け及び取り外しが可能な隙間４２を生じる（図５等参照）。
【００１８】
本体１１は、押さえ部材２０による固定を解除するために本体１１に対して移動可能に設けられた解除部材２３を中央上部に形成されている取り付け凹所２４に具備し、かつまた、この解除部材２３による固定を解除する方向へ押さえ部材２０を駆動するリンク機構２５をその下方に具備している。リンク機構２５は本体１１に交差支軸２６により回転可能に取り付けられ、交差状に配置された１対のリンクアーム２７、２８を具備しており、リンクアーム２７、２８はその交差支軸２６から解除部材側で短く、交差支軸２６から押さえ部材側で長く形成されたアーム構造を有するとともに、長い方の押さえ部材側アーム端に係合軸２９、３０を設け、その係合軸２９、３０と係合する横方向の長溝３１、３２を押さえ部材２０に設けた構造を有している。
【００１９】
上記リンク機構２５は、交差支軸２６から押さえ部材側で長く形成されたアーム構造を有するとともに、係合軸２９、３０と横方向の長溝３１、３２が係合しているので、解除部材２３の押し下げストロークを押さえ部材２０の駆動力に増幅して変換することができる。なお１対のリンクアーム２７、２８は、係合軸２９、３０が長溝３１、３２の内方へ移動して近接したときに押さえ部材２０をハンガー横軸１５に十分な力で接触し、また外方へ移動して離れたときに押さえ部材２０が離れてハンガー横軸１５との間に十分な隙間を生じるように構成されている（図２参照）。
【００２０】
上記ハンガー横軸１５は、押さえ部材２０により押さえ付けられる部分に設けた滑り止め部材３３を有している。例示の滑り止め部材３３はＯ−リングから成り、変形を生じ易い開放した端部１８の側において、より多くの滑り止め部材３３を配置している。しかしながらこのようにせず、左右均等に配置しても良いことは勿論である。さらに、押さえ部材２０の方にはハンガー横軸１５の横断面形状と係合可能な横断面形状の凹溝３４を設けるものとする。
【００２１】
また前述したように、本体１１とこの本体１１に移動可能に設けられた押さえ部材２０とは凹部１９ａと凸部１９ｂより成る嵌合摺動構造によって上下方向へ移動可能に設けられているが、上記上下方向の延長線上には解除部材２３とその上下移動案内を兼ねた下方移動時のためにストッパー３７が配置されており、上方移動については抜け止め壁３８と抜け止め３９が設けられている。さらに、ズボン類４０の上下方向の縫い目４１と抵触するハンガー横軸１５と押さえ部材２３の中央部分に、縫い目４１との抵触を回避する凹部３５、３６を形成する（図３参照）。
【００２２】
従って、通常はハンガー横軸１５に接する方向へ弾性部材２１、２２によって付勢されている押さえ部材２０は、解除部材２３を押すことでリンク機構２５によってハンガー横軸１５から離れ、その間に十分な隙間４２を生じるようになる（図２）。この隙間４２からズボン類４０の折り曲げ部を差し込み（図３）、解除部材２３を押すことを止めズボン類４０を掛け吊るすものである（図４）。
【００２３】
図５、図６は、ズボン類４０の取り付け過程を時系列で示したもので、図５Ａは解除部材２３を押して押さえ部材２０をハンガー横軸１５から離して隙間４２を生じた状態、図５Ｂはズボン類４０をハンガー横軸１５に掛けた状態を夫々示す。解除部材２３を押す操作を止めると、弾性部材２１、２２の弾性力によって押さえ部材２０はズボン類４０を固定し、解除部材２３は元の位置に戻る（図６Ａ）。図６Ｂは図６Ａの正面形状、図６Ｃは図６Ａの側面形状を示す。これらの図示により、ズボン類４０の取り付け及び取り外し作業を解除部材２３のワンタッチ操作で行なえること、またズボン類４０を二つ折りする位置が正二分する位置でなく、例えば裾の方に片寄っていたとしても問題なく保持できることなどが容易に理解される。
【００２４】
図７は、上記の如くしてズボン類４０を取り付けている本発明のワンタッチ開閉式ズボンハンガー１０を折り畳み工程に投入する状態を示している。図７Ａでは、解除部材２３を再び押してズボン類４０の固定を解除し、ハンガー本体１１を斜め上方へ移動してズボン類４０から引き抜いており、図７Ｂでは、二つ折りされていた裾を延ばし、折り畳み機のコンベア４３へ投入する状態を示している。
【００２５】
図８以下に、本発明に係るワンタッチ開閉式ズボンハンガー１０によるズボン類４０の工程への受け渡し例を説明する。図８は、ズボン類４０の取り付けられているワンタッチ開閉式ズボンハンガー１０が、搬送シリンダー４４のフック部４５により搬送されて、折り畳み機のコンベア４３へ到達した状態を示しており、受け渡し位置決め部４６で受け渡し位置に達すると、本発明のズボンハンガー１０は引き抜きシリンダー４７の先端の受け渡し部４８に移載される。この位置には本発明のズボンハンガー１０の解除部材２３を操作する解除シリンダー４９が配置されており、その動作により解除部５０が解除部材２３を押してズボン類４０の保持を解除し（図９）、図７Ｂに示された状態となる。本発明のズボンハンガー１０は、フック部１４が引き抜きシリンダー４７によってズボン類４０から抜き取られ、解除されたズボン類４０だけがコンベア４３上に残り、折り畳み工程に投入されることになる（図１０）。
【００２６】
本発明の装置は上記のようにズボン類を扱うために特に工夫されており、リネンサプライ業などにおいて、洗濯済みのズボン類を次から次へと能率良くハンガーに取り付けるような要求に十分に応じることができる。従って、上着と同じようにズボン類を自動的に処理することが可能になり、取扱量の増大や、仕上がり品質の均一性などを考慮した対応が可能になる。
【図面の簡単な説明】
【００２７】
【図１】本発明に係るワンタッチ開閉式ズボンハンガーの一例を示すもので、Ａは正面図、Ｂは部分側面図である。
【図２】同上のハンガーの操作状態の説明図である。
【図３】同じくズボン類を掛けた状態の説明図である。
【図４】同上の状態を示すもので、Ａは正面図、Ｂは側面図である。
【図５】ズボン類の取り付け過程を時系列で示した説明図で、Ａは取り付け前の状態、Ｂは取り付け中の状態を示す説明図である。
【図６】図５に続く説明図で、Ａは取り付け前の状態、ＢはＡの正面図、ＣはＡの側面図である。
【図７】図６に続く説明図で、Ａは折り畳み工程に投入前の状態の側面図、Ｂは投入後の状態の側面図である。
【図８】図７Ａに対応する状態の詳細な説明図である。
【図９】図７Ａから図７Ｂへ移行する状態の詳細な説明図である。
【図１０】投入完了状態を示すもので、Ａは本発明のハンガーとズボンの関係を示す説明図、Ｂは工程投入後の状態の詳細な説明図である。
【符号の説明】
【００２８】
１０  ワンタッチ開閉式ズボンハンガー
１１  本体
１２、１３  本体を構成する前後２部材
１４  フック
１５  ハンガー横軸
１６  フック取り付け突部
１７  横軸取り付け突部
１８  端部
１９ａ  凹部、１９ｂ  凸部
２０  押さえ部材
２１、２２  弾性部材
２３  解除部材
２４  凹所
２５  リンク機構
２６  交差支軸
２７、２８  リンクアーム
２９、３０  係合軸
３１、３２  長溝
３３  Ｏ−リング即ち滑り止め部材
３４  凹溝
３５、３６  凹部
３７  ストッパー
３８  抜け止め壁
３９  抜け止め
４０  ズボン類
４１  縫い目
４２  隙間
【図１】
0005089345.tif 000002
【図２】
0005089345.tif 000003
【図３】
0005089345.tif 000004
【図４】
0005089345.tif 000005
【図５】
0005089345.tif 000006
【図６】
0005089345.tif 000007
【図７】
0005089345.tif 000008
【図８】
0005089345.tif 000009
【図９】
0005089345.tif 000010
【図１０】
0005089345.tif 000011